(57)【要約】【課題】モータ走行時に、適切な潤滑油供給量を確保し、エンジンのポンピングロスおよびオイルポンプの損失を低減する。【解決手段】エンジンと、２つのモータ・ジェネレータと、遊星歯車機構によって構成された動力分配装置とを備え、動力分配装置へ潤滑油を供給するオイルポンプとエンジンとがキャリアに連結され、一方のモータ・ジェネレータがサンギヤに連結され、他方のモータ・ジェネレータがリングギヤに連結されたハイブリッド車の制御装置において、モータ走行時に、スロットルバルブ開度を制御することにより、エンジンのポンピングロスを低減させるポンピングロス低減手段（ステップＳ４）と、一方のモータ・ジェネレータの回転を制御してオイルポンプの吐出量を制御することにより、車速に応じて動力分配装置で最低限必要量の潤滑油を供給する必要潤滑油量確保手段（ステップＳ５，Ｓ７）とを備えている。【選択図】図１
2008308138.tif 000002
【特許請求の範囲】
【請求項１】
内燃機関と、発電機としての機能を有する２つの電動機と、前記内燃機関および各電動機の動力を合成もしくは分配して出力するとともに、第１回転要素および第２回転要素ならびに第３回転要素を有する遊星歯車機構によって構成された動力分配装置とを備え、前記動力分配装置へ潤滑油を供給するオイルポンプと前記内燃機関とが前記第１回転要素にそれぞれ連結され、いずれか一方の前記電動機が前記第２回転要素に連結され、他方の前記電動機が前記第３回転要素に連結されているハイブリッド車の制御装置において、
前記内燃機関の運転を停止して前記電動機の出力するトルクにより車両を走行させるモータ走行時に、前記内燃機関のスロットルバルブもしくは吸気バルブの開度を制御することにより、前記内燃機関が外部からのトルクにより回転させられる際に発生するポンピングロスを低減させるポンピングロス低減手段と、
前記モータ走行時に、前記一方の電動機の回転を制御して前記オイルポンプの吐出量を制御することにより、車速に応じて前記動力分配装置で最低限必要とされる量の潤滑油を前記オイルポンプから前記動力分配装置へ供給する必要潤滑油量確保手段と
を備えていることを特徴とするハイブリッド車の制御装置。
【請求項２】
前記必要潤滑油量確保手段は、前記ポンピングロス低減手段による制御が実行されて、前記スロットルバルブもしくは吸気バルブの開度が前記ポンピングロスを低減させるために必要な所定の開度以上開いた後に、前記オイルポンプの吐出量を制御するための前記一方の電動機の回転制御を実行する手段を含むことを特徴とする請求項１に記載のハイブリッド車の制御装置。
【請求項３】
前記ポンピングロス低減手段は、前記必要潤滑油量確保手段による制御が中止されて、前記内燃機関の回転数がゼロになった後に、前記スロットルバルブもしくは吸気バルブの開度を全閉もしくはアイドリング運転時に相当する開度だけ開いた状態に制御する手段を含むことを特徴とする請求項１または２に記載のハイブリッド車の制御装置。
【請求項４】
前記モータ走行状態から前記内燃機関を運転して車両を走行させる状態へ切り換える場合に、前記必要潤滑油量確保手段による制御が中止され、前記内燃機関の回転が停止し、さらに前記ポンピングロス低減手段により前記スロットルバルブもしくは吸気バルブの開度が全閉もしくはアイドリング運転時に相当する開度だけ開いた状態に制御された後に、前記内燃機関を始動する内燃機関始動手段を更に備えていることを特徴とする請求項１ないし３のいずれかに記載のハイブリッド車の制御装置。
【発明の詳細な説明】
【技術分野】
【０００１】
この発明は、車両の走行のための動力源として２種類の動力源を備えているハイブリッド車に関し、特に、内燃機関と、発電機としての機能を有する電動機と、それら内燃機関と電動機および出力部材との間でトルクの分配・合成あるいは伝達を行う伝動機構を備えているハイブリッド車を対象とする制御装置に関するものである。
【背景技術】
【０００２】
この種のハイブリッド車の一例が特許文献１に記載されている。この特許文献１に記載されているハイブリッド駆動装置は、第１の回転要素（キャリア）および第２の回転要素（リングギヤ）および第３の回転要素（サンギヤ）を有する遊星歯車機構により構成される動力分配装置と、キャリアに連結されたエンジンと、リングギヤに連結された第２モータ・ジェネレータとを備えていて、エンジンの回転数が所定回転数未満となる場合に、遊星歯車機構の各回転要素同士の回転数差の増加を抑制するように構成されている。
【０００３】
さらに、この特許文献１に記載されているハイブリッド駆動装置は、エンジンのトルクにより駆動されて動力分配装置にオイルを供給するオイルポンプと、前記遊星歯車機構のサンギヤに連結された第１モータ・ジェネレータとを備えていて、エンジンが停止している場合には、第１モータ・ジェネレータのトルクによりオイルポンプを駆動し、動力分配装置へ供給される潤滑油量の低下を防止するようになっている。
【０００４】
また、特許文献２には、内燃機関（エンジン）を停止させた状態で電動機（モータ・ジェネレータ）を動作させる場合に、例えばエンジンのスロットルバルブや吸・排気弁を制御して、エンジンのポンピングロス（ポンプ損失）を低減するように構成されたハイブリッド車が記載されている。
【０００５】
【特許文献１】特開２００４−２６０９３２号公報
【特許文献２】特開平９−４４７９号公報
【発明の開示】
【発明が解決しようとする課題】
【０００６】
上記の特許文献１に記載されているハイブリッド駆動装置のように、エンジンのトルクによりオイルポンプを駆動するように構成されている場合、エンジンの回転数が低くなり、それによりオイルポンプの回転数も低くなると、オイルポンプによって動力分配装置へ供給される潤滑油量が不足する可能性がある。そのため、特許文献１に記載されているハイブリッド駆動装置のように、エンジンの回転数が低い場合に、第１モータ・ジェネレータの回転数を正の方向（エンジンと同じ回転方向）へ上昇させるように制御することにより、動力分配装置を構成する遊星歯車機構の各ギヤ間の相対回転数を低下させるとともに、エンジンの回転数すなわちオイルポンプの回転数を上昇させて、遊星歯車機構の各ギヤの焼き付きを防止するために必要な潤滑油の供給量を確保するように構成されている。
【０００７】
すなわち、図７の共線図に示すように、動力分配装置を構成する遊星歯車機構のキャリアに連結されているエンジンの回転数が低い場合、サンギヤに連結されている第１モータ・ジェネレータの回転数を正の方向に上昇させることにより、キャリアすなわちエンジンの回転数が正の方向へ引き上げられる。その結果、サンギヤとキャリアとリングギヤとの間の相対回転数がそれぞれ小さくなり、動力分配装置で必要な潤滑油量が少なくなるとともに、エンジンの回転数が上昇させられることによってオイルポンプにより動力分配装置へ供給される潤滑油量が増大する。
【０００８】
しかしながら、エンジンの回転数が低い場合、特にエンジンが停止させられて第２モータ・ジェネレータのトルクにより車両を走行させるいわゆるモータ走行（ＥＶ走行）を行う場合、言い換えると、エンジンの回転を制御するスロットルバルブの開度が小さい場合、特にスロットルバルブが全閉にされてモータ走行を行う場合に、上記のように第１モータ・ジェネレータによりエンジン回転数を引き上げる制御を行った場合は、エンジンの吸気行程におけるシリンダ内部の負圧による大きなポンピングロス（ポンプ損失）が発生し、第１モータ・ジェネレータを駆動するための電力消費量が大幅に増大してしまう場合があった。
【０００９】
また、上記のように第１モータ・ジェネレータによりエンジン回転数を引き上げることによって、遊星歯車機構の各ギヤ間の相対回転数が低下して、言い換えると、各ギヤ間の回転数差が減少して、動力分配装置の必要潤滑油量が少なくなる。一方、オイルポンプによる潤滑油の供給量はエンジン回転数の上昇により増加するため、オイルポンプによる動力分配装置への潤滑油の供給が過剰になり、その分、オイルポンプの損失が増大してしまう場合があった。
【００１０】
この発明は上記の技術的課題に着目してなされたものであり、内燃機関の運転を停止して電動機の動力により車両を走行させるモータ走行時に、オイルポンプによる潤滑油の供給量を適切に制御するとともに、内燃機関のポンピングロスおよびオイルポンプの損失を低減することのできるハイブリッド車の制御装置を提供することを目的とするものである。
【課題を解決するための手段】
【００１１】
上記の目標を達成するために、請求項１の発明は、内燃機関と、発電機としての機能を有する２つの電動機と、前記内燃機関および各電動機の動力を合成もしくは分配して出力するとともに、第１回転要素および第２回転要素ならびに第３回転要素を有する遊星歯車機構によって構成された動力分配装置とを備え、前記動力分配装置へ潤滑油を供給するオイルポンプと前記内燃機関とが前記第１回転要素にそれぞれ連結され、いずれか一方の前記電動機が前記第２回転要素に連結され、他方の前記電動機が前記第３回転要素に連結されているハイブリッド車の制御装置において、前記内燃機関の運転を停止して前記電動機の出力するトルクにより車両を走行させるモータ走行時に、前記内燃機関のスロットルバルブもしくは吸気バルブの開度を制御することにより、前記内燃機関が外部からのトルクにより回転させられる際に発生するポンピングロスを低減させるポンピングロス低減手段と、前記モータ走行時に、前記一方の電動機の回転を制御して前記オイルポンプの吐出量を制御することにより、車速に応じて前記動力分配装置で最低限必要とされる量の潤滑油を前記オイルポンプから前記動力分配装置へ供給する必要潤滑油量確保手段とを備えていることを特徴とする制御装置である。
【００１２】
また、請求項２の発明は、請求項１の発明において、前記必要潤滑油量確保手段が、前記ポンピングロス低減手段による制御が実行されて、前記スロットルバルブもしくは吸気バルブの開度が前記ポンピングロスを低減させるために必要な所定の開度以上開いた後に、前記オイルポンプの吐出量を制御するための前記一方の電動機の回転制御を実行する手段を含むことを特徴とする制御装置である。
【００１３】
また、請求項３の発明は、請求項１または２の発明において、前記ポンピングロス低減手段が、前記必要潤滑油量確保手段による制御が中止されて、前記内燃機関の回転数がゼロになった後に、前記スロットルバルブもしくは吸気バルブの開度を全閉もしくはアイドリング運転時に相当する開度だけ開いた状態に制御する手段を含むことを特徴とする制御装置である。
【００１４】
そして、請求項４の発明は、請求項１ないし３のいずれかの発明において、前記モータ走行状態から前記内燃機関を運転して車両を走行させる状態へ切り換える場合に、前記必要潤滑油量確保手段による制御が中止され、前記内燃機関の回転が停止し、さらに前記ポンピングロス低減手段により前記スロットルバルブもしくは吸気バルブの開度が全閉もしくはアイドリング運転時に相当する開度だけ開いた状態に制御された後に、前記内燃機関を始動する内燃機関始動手段を更に備えていることを特徴とする制御装置である。
【発明の効果】
【００１５】
請求項１の発明によれば、モータ走行が行われる場合に、内燃機関のスロットルバルブもしくは吸気バルブの開度が制御されて、内燃機関のポンピングロスが低減される。そして、いずれか一方の電動機がモータとして駆動されて、その電動機の出力トルクが動力分配装置の遊星歯車機構を介してオイルポンプに伝達され、それによりオイルポンプが駆動されて動力分配装置に潤滑油が供給される。その際に動力分配装置に供給される潤滑油量が、車速に応じて変化する動力分配装置の潤滑および冷却のために必要な最小量となるように、前記一方の電動機の回転が制御される。そのため、モータ走行時に内燃機関の運転が停止している場合であっても、オイルポンプにより、車速に応じた適切な量の潤滑油を動力分配装置に供給することができ、動力伝達装置に必要以上に潤滑油が供給されてしまうことによるオイルポンプの損失を低減することができる。その結果、モータ走行時に、内燃機関のポンピングロスおよびオイルポンプの損失を低減して、電動機の電力消費量を低減することができる。
【００１６】
また、請求項２の発明によれば、モータ走行時に、内燃機関のポンピングロスを低減するために、内燃機関のスロットルバルブもしくは吸気バルブの開度が所定量以上開かれた後に、オイルポンプの吐出量すなわちオイルポンプの回転数を制御するための前記一方の電動機の回転制御が実行される。そのため、モータ走行時における前記一方の電動機の回転制御中に、内燃機関のスロットルバルブもしくは吸気バルブの開度が制御されて内燃機関のポンピングロスが変化することにより生じる出力軸でのトルク変動を回避することができる。
【００１７】
また、請求項３の発明によれば、モータ走行時に、オイルポンプの吐出量すなわちオイルポンプの回転数を制御するための前記一方の電動機の回転制御が中止されて、内燃機関の回転が停止した後に、内燃機関のスロットルバルブもしくは吸気バルブの開度が、全閉の状態もしくはアイドリング運転時に設定される所定量だけ開いた状態に制御される。そのため、モータ走行時における前記一方の電動機の回転制御中に、内燃機関のスロットルバルブもしくは吸気バルブの開度が制御されて内燃機関のポンピングロスが変化することにより生じる出力軸でのトルク変動を回避することができる。
【００１８】
そして、請求項４の発明によれば、モータ走行時に、内燃機関のポンピングロスを低減するために、内燃機関のスロットルバルブもしくは吸気バルブの開度が所定量以上開かれた後に、オイルポンプの吐出量すなわちオイルポンプの回転数を制御するための前記一方の電動機の回転制御が実行される。その後、モータ走行状態から内燃機関単独の動力もしくは内燃機関と電動機との動力により車両を走行させる状態へ切り換えられる場合には、前記一方の電動機の回転制御が中止されて、内燃機関の回転が停止した後に、内燃機関のスロットルバルブもしくは吸気バルブの開度が、全閉の状態もしくはアイドリング運転時に設定される所定量だけ開いた状態に制御される。そしてその後に、前記内燃機関の始動が開始される。そのため、モータ走行時における前記一方の電動機の回転制御中に、内燃機関のスロットルバルブもしくは吸気バルブの開度が制御されて内燃機関のポンピングロスが変化することにより生じる出力軸でのトルク変動を回避することができる。また、内燃機関を始動する際に、スロットルバルブもしくは吸気バルブが所定開度開いた状態、あるいは前記一方の電動機により内燃機関が所定回転数で回転している状態で点火されることにより発生する内燃機関の初爆時のショックを防止することができる。
【発明を実施するための最良の形態】
【００１９】
つぎに、この発明を図を参照して具体的に説明する。図５は、この発明に係るハイブリッド車の駆動系統を示すスケルトン図であり、ここに示す例は、ＦＦ（フロントエンジン・フロントドライブ）形式のハイブリッド車Ｖｅの一例である。図５において、車両Ｖｅには動力源として内燃機関１が設けられている。内燃機関１は、ガソリンエンジンやディーゼルエンジン、あるいは天然ガスエンジンなどの燃料を燃焼して動力を出力する動力機関であり、ここに示す例では、スロットル開度などの負荷を電気的に制御することが可能な電子スロットルバルブ１ａを備えていて、所定の負荷に対して回転数を制御することにより燃費が最も良好な最適運転点に設定できる内燃機関である。以下、内燃機関１をエンジン１と記す。
【００２０】
エンジン１の出力側には、トランスアクスル２が連結されている。なお、エンジン１のクランクシャフト３は、車両Ｖｅの幅方向（図５の左右方向）に配置されている。トランスアクスル２は、ケーシング４を有し、ケーシング４の内部には、第１モータ・ジェネレータ（ＭＧ１）５、および第２モータ・ジェネレータ（ＭＧ２）６、およびデファレンシャル７、ならびに動力分配装置８が設けられている。第１モータ・ジェネレータ５および第２モータ・ジェネレータ６は、電力の供給によりトルクを出力する電動機としての機能と、機械エネルギを電気エネルギに変換する発電機としての機能とを兼ね備えている。
【００２１】
第１モータ・ジェネレータ５は、ケーシング４に固定されたステータ９と、そのステータ９の内側に設けられたロータ１０とを有している。また、ロータ１０と中空シャフト１１とが一体回転するように連結されている。前記動力分配装置８は、第１モータ・ジェネレータ５と第２モータ・ジェネレータ６との間に設けられており、この動力分配装置８は、いわゆるシングルピニオン形式の遊星歯車機構により構成されている。すなわち、動力分配装置８は、サンギヤ１２と、そのサンギヤ１２と同心状に配置されたリングギヤ１３と、サンギヤ１２およびリングギヤ１３に噛合するピニオンギヤ１４を保持したキャリア１５とを有している。サンギヤ１２は前記中空シャフト１１の外周に形成されている。
【００２２】
中空シャフト１１の内部にはメインシャフト１６が設けられている。メインシャフト１６は、クランクシャフト３と同心状に配置されており、クランクシャフト３からメインシャフト１６に伝達されるトルクの上限値を決定するトルクリミッタ１７が設けられている。また、クランクシャフト３からメインシャフト１６に伝達されるトルクの変動を吸収するダンパ機構１８が設けられている。さらにメインシャフト１６には、前記キャリア１５が連結されている。また、リングギヤ１３にはドライブスプロケット１９が連結されている。
【００２３】
一方、第２モータ・ジェネレータ６は、ケーシング４に固定されたステータ２０と、そのステータ２０の内側に設けられたロータ２１とを有している。このロータ２１には中空シャフト２２が連結されている。中空シャフト２２はメインシャフト１６の外周側に配置されており、中空シャフト２２とメインシャフト１６とが相対回転可能に構成されている。そして、この中空シャフト２２とリングギヤ１３とが連結されている。
【００２４】
さらに、メインシャフト１６と相互に平行に、カウンタドライブシャフト２３およびカウンタドリブンシャフト２４が設けられている。カウンタドライブシャフト２３にはドリブンスプロケット２５およびカウンタドライブギヤ２６が形成されている。そして、ドライブスプロケット１９およびドリブンスプロケット２５にはチェーン２７が巻き掛けられている。カウンタドリブンシャフト２４にはカウンタドリブンギヤ２８およびファイナルドライブピニオンギヤ２９が形成されており、カウンタドリブンギヤ２８とカウンタドライブギヤ２６とが噛合されている。
【００２５】
さらに、デファレンシャル７は内部中空のデフケース３０を有している。デフケース３０は回転可能に構成されているとともに、デフケース３０の外周にはリングギヤ３１が設けられている。そして、ファイナルドライブピニオンギヤ２９とこのリングギヤ３１とが噛み合わされている。また、デフケース３０の内部にはピニオンシャフト３２が取り付けられており、このピニオンシャフト３２には２つのピニオンギヤ３３が取り付けられている。このピニオンギヤ３３には２つのサイドギヤ３４が噛み合わされている。２つのサイドギヤ３４には別個にフロントドライブシャフト３５が接続され、そして、各フロントドライブシャフト３５は、左右の車輪（前輪）３６が接続されている。
【００２６】
そして、オイルポンプ３７が設けられており、このオイルポンプ３７は、メインシャフト１６のトルクより駆動される構成となっている。すなわち、オイルポンプ３７のロータ軸が、メインシャフト１６および動力分配装置８のキャリア１５に連結されている。したがって、オイルポンプ３７には、メインシャフト１６を介してエンジン１の出力するトルクが伝達されるとともに、動力分配装置８を介して第１モータ・ジェネレータ５もしくは第２モータ・ジェネレータ６の出力するトルクが伝達される構成となっている。すなわち、このオイルポンプ３７は、エンジン１の出力するトルクにより駆動されるとともに、動力分配装置を介して伝達される第１モータ・ジェネレータ５もしくは第２モータ・ジェネレータ６の出力するトルクにより駆動することもできる。そして、オイルポンプ３７から吐出されたオイル（潤滑油）を動力分配装置８などに供給する油路（図示せず）が設けられている。
【００２７】
図６は、図５に示す車両Ｖｅの制御系統を示すブロック図である。電子制御装置（ＥＣＵ）３８には、リングギヤ回転数センサ３９の信号、アクセルポジションセンサ４０の信号、エンジン回転数センサ４１の信号、補機負荷センサ４２の信号、油温センサ４３の信号、第１モータ・ジェネレータ５および第２モータ・ジェネレータ６の回転数を検知するモータ・ジェネレータ回転数センサ４４の信号、前輪３６もしくはフロントドライブシャフト３５および後輪（図示せず）の回転数を検知する車輪速センサ４５の信号などが入力される。補機負荷とは、エンジン１の動力を消費する補機の駆動要求を意味しており、例えば、エアコン用コンプレッサの駆動要求、発電要求などが含まれる。一方、電子制御装置３８からは、エンジン１を制御する信号、第１モータ・ジェネレータ５を制御する信号、第２モータ・ジェネレータ６を制御する信号などが出力される。
【００２８】
前述したように、この発明で対象とするハイブリッド車は、エンジン１により駆動されるオイルポンプ３７により、動力分配装置８や他の被潤滑部位にオイルを供給するように構成されている。そのため、エンジン１の運転を停止して、例えば第２モータ・ジェネレータ６の出力するトルクのみによって車両Ｖｅを走行させるいわゆるモータ走行（ＥＶ走行）の際に、オイルポンプ３７の回転数が低下もしくは駆動が停止することによりオイルポンプ３７の吐出量が減少し、動力分配装置８などの被潤滑部位に供給されるオイルが不足する可能性がある。このオイル供給量の不足を解消するために、第１モータ・ジェネレータ５を力行制御することにより、エンジン１の回転数すなわちオイルポンプ３７の回転数を上昇させて、オイルポンプ３７によるオイル供給量を増大することができる。
【００２９】
しかしながら、その場合、第１モータ・ジェネレータ５の出力トルクにより駆動（空転）されるエンジン１では、エンジン１の吸気行程の際のシリンダ内部の負圧によって大きな回転抵抗が生じ、その結果、この抵抗による損失すなわちエンジン１のポンピングロス（ポンプ損失）が発生してしまう。また、第１モータ・ジェネレータ５を力行制御することによりエンジン１すなわち動力分配装置８のキャリア１５の回転数が引き上げられると、動力分配装置８のキャリア１５およびサンギヤ１２ならびにリングギヤ１３の間の各相対回転数もしくは各回転数差がそれぞれ少なくなり、そのため第１モータ・ジェネレータ５によりキャリア１５の回転数が引き上げられる以前の各相対回転数もしくは各回転数差が大きい場合と比較して、動力分配装置８において必要とされるオイル量が少なくなる。その結果、第１モータ・ジェネレータ５の出力トルクにより駆動されるオイルポンプ３７によって動力分配装置８に供給されるオイル量が、実際に必要とされるオイル量よりも多くなって、その分オイルポンプ３７の損失が増大してしまう。
【００３０】
そこで、この発明におけるハイブリッド車の制御装置は、第２モータ・ジェネレータ６の出力するトルクによるモータ走行時に、第１モータ・ジェネレータ５の回転を適切に制御することにより、エンジン１の回転数すなわちオイルポンプ３７によるオイルの吐出量を制御して、動力分配装置８などの被潤滑部位に適切にオイルを供給することができ、また、モータ走行時におけるエンジン１のポンピングロスおよびオイルポンプ３７の損失を低減することができるように構成されている。その制御の具体例を以下に説明する。
【００３１】
図１は、この発明における制御装置の制御例を説明するためのフローチャートであって、このフローチャートで示されるルーチンは、所定の短時間毎に繰り返し実行される。図１において、先ず、車両Ｖｅに要求される走行状態（走行モード）が、モータ走行（ＥＶ走行）モードであるか否かが判断される（ステップＳ１）。
【００３２】
車両Ｖｅの走行モードとしてモータ走行モードが要求されたことにより、このステップＳ１で肯定的に判断された場合は、ステップＳ２へ進み、エンジン１の運転が停止させられるとともに、第２モータ・ジェネレータ６の回転が力行制御され、第２モータ・ジェネレータ６がトルクを出力することにより車両Ｖｅを走行させるモータ走行モードにおける制御が実行される。
【００３３】
続いて、車両Ｖｅの車速Ｖが所定の車速Ｖ0を越えたか否かが判断される（ステップＳ３）。ここでの所定の車速Ｖ0は、動力分配装置８の各ギヤやベアリングなどの被潤滑部位に、オイルポンプ３７によるオイル（潤滑および冷却のための潤滑油）の供給が必要となる最低の車速として予め定められた所定値である。
【００３４】
車速Ｖが所定の車速Ｖ0を越えたことにより、このステップＳ３で肯定的に判断された場合は、ステップＳ４へ進み、エンジン１の電子スロットルバルブ１ａのスロットル開度θを所定のスロットル開度θ0以上開く指令が出力される。言い換えると、実際のスロットル開度θを制御するための目標スロットル開度θ’が所定のスロットル開度θ0以上となるように設定される。ここでの所定のスロットル開度θ0は、エンジン１のいわゆるポンピングロス（ポンプ損失）を低減するために適当なスロットル開度として予め定められた所定値である。
【００３５】
上記のようなモータ走行時、エンジン１の運転が停止している際には、オイルポンプ３７によるオイルの供給量が不足してしまうことを回避するため、第１モータ・ジェネレータ５を力行することにより、キャリア１５すなわちエンジン１の回転数を上昇させ、オイルポンプ３７のオイル吐出量を増大させる制御が実行される。このとき、電子スロットルバルブ１ａのスロットル開度θが全閉もしくは所定のスロットル開度θ0よりも閉じた状態のままであると、前述したように、エンジン１の吸気行程の際にシリンダ内に大きな負圧が生じ、エンジン１を回転させる際の抵抗となって、エンジン１のポンピングロスが発生する。そのため、このステップＳ４で、スロットル開度θを所定のスロットル開度θ0以上開くことにより、第１モータ・ジェネレータ５の出力トルクにより駆動されるエンジン１のシリンダ内の負圧を低下させてポンピングロスを低減するいわゆるポンピングロス低減制御が実行される。
【００３６】
なお、エンジン１が、例えば吸気バルブ（動弁）の開閉タイミングを変更することが可能な可変動弁機構（もしくは可変動弁システム）を採用したエンジンである場合には、上記のように電子スロットルバルブ１ａのスロットル開度θを所定のスロットル開度θ0以上開く制御の代わりに、吸気バルブの開き量を所定値以上開くことにより、ポンピングロス低減制御を実行することもできる。
【００３７】
スロットル開度θを所定のスロットル開度θ0以上開く指令が出力されると、実際のスロットル開度θが所定のスロットル開度θ0以上となったか否かが判断される（ステップＳ５）。実際のスロットル開度θが未だ所定のスロットル開度θ0以上になっていないことにより、このステップＳ５で否定的に判断された場合は、ステップＳ６へ進み、制御用フラグＦが“１”に設定された後、このルーチンを一旦終了する。なお、制御用フラグＦは、例えば、車両ＶｅのイグニションスイッチがＯＦＦの状態からＯＮの状態にされた場合に、“０”に設定されるフラグである。
【００３８】
これに対して、実際のスロットル開度θが所定のスロットル開度θ0以上になったことにより、ステップＳ５で肯定的に判断された場合には、ステップＳ７へ進み、第１モータ・ジェネレータ５を力行制御することにより、オイルポンプ３７によるオイルの吐出量を制御して動力分配装置８などの被潤滑部位に適切にオイルを供給するいわゆる必要潤滑油量確保制御が実行される。すなわち、前述のステップＳ４，Ｓ５で、ポンピングロス低減制御が実行されて、電子スロットルバルブ１ａのスロットル開度θが、実質的に所定のスロットル開度θ0以上開いた状態になった後に、この必要潤滑油量確保制御が開始されるようになっている。
【００３９】
この必要潤滑油量確保制御について具体的に説明すると、先ず、現在の車速Ｖに対する動力分配装置８などの被潤滑部位への必要潤滑油量Ｑが求められる。この必要潤滑油量Ｑは、動力分配装置８の各ギヤやベアリングなどの被潤滑部位において、焼き付き等の不具合を生じさせないために最低限必要なオイルの供給量、言い換えると、焼き付き等の不具合を生じさせずに動力分配装置８などの被潤滑部位を動作させることができるオイルの最小供給量である。また、この必要潤滑油量Ｑは、車速Ｖの増減に応じて、すなわち動力分配装置８の動作状態に応じて、その値が増減するオイル量である。したがって、この必要潤滑油量Ｑは、例えば図２に示すような車速と必要潤滑油量との関係に基づいて予め設定されたマップから求めることができる。
【００４０】
ついで、上記の必要潤滑油量Ｑと、例えば図３に示すようなオイルポンプ回転数（すなわちエンジン回転数）とオイルポンプ吐出量との関係に基づいて予め設定されたマップとから、必要潤滑油量Ｑをオイルポンプ３７により供給するために必要なエンジン回転数Ｎeが求められる。すなわち、その時点の車速Ｖに応じた必要潤滑油量Ｑを、オイルポンプ３７により供給する際のエンジン１の回転数Ｎeが求められる。
【００４１】
エンジン回転数Ｎeが求められると、エンジン１をエンジン回転数Ｎeで駆動させるために必要な第１モータ・ジェネレータ５の回転数Ｎmg1、言い換えると、必要潤滑油量確保制御を実行する際の第１モータ・ジェネレータ５の目標回転数Ｎmg1が算出される。この第１モータ・ジェネレータ５の回転数Ｎmg1は、動力分配装置８のサンギヤ１２とリングギヤ１３との歯数比をρ（サンギヤ１２の歯数をＺs、リングギヤ１３の歯数をＺrとすると、ρ＝Ｚs／Ｚr）、その時点の第２モータ・ジェネレータ６の回転数をＮmg2とすると、
Ｎmg1＝｛（１＋ρ）×Ｎe−Ｎmg2｝／ρ
として算出することができる。
【００４２】
そして、算出された第１モータ・ジェネレータ５の回転数Ｎmg1に基づいて、第１モータ・ジェネレータ５の回転が制御される。すなわち、必要潤滑油量確保制御が実行される。
【００４３】
なお、上記のような必要潤滑油量確保制御の実行時における動力分配装置８の遊星歯車機構の共線図を、図４に示してある。図４において、車両Ｖｅの車速が所定車速Ｖ0以下の低車速モータ（ＥＶ）走行（図４で実線で示す状態）から、第２モータ・ジェネレータ６の回転数を上昇させて車速を増大させ、車両Ｖｅの車速が所定車速Ｖ0よりも速くなった中・高車速モータ（ＥＶ）走行の状態になると、オイルポンプ３７による動力分配装置８などの被潤滑部位へのオイルの供給が必要になるため、第１モータ・ジェネレータ５の回転数を上昇させることにより、エンジン回転数Ｎeが引き上げられる（図４で破線で示す状態）。その結果、オイルポンプ３７の回転数Ｎopも引き上げられ、そのオイルポンプ３７のオイルの吐出量が増大する。また、この場合、エンジン１は、この必要潤滑油量確保制御の実行に先立って、上記のようにポンピングロス低減制御が実行されているため、エンジン１が空転する状態でその回転数Ｎeが引き上げられる場合であっても、大きなポンピングロスは発生しない。
【００４４】
ステップＳ７で、上記のようにして必要潤滑油量確保制御が実行されると、制御用フラグＦが“２”に設定され（ステップＳ８）、その後、このルーチンを一旦終了する。
【００４５】
一方、前述のステップＳ３で、車速Ｖが所定の車速Ｖ0以下であることにより否定的に判断された場合には、ステップＳ９へ進み、制御用フラグＦが“１”に設定されているか否かが判断される。前述のように、ポンピングロス低減制御と必要潤滑油量確保制御とが逐次実行されると、制御用フラグＦは“２”に設定されているため、このステップＳ９では、当初は否定的に判断される。
【００４６】
すなわち、その時点の制御用フラグＦが“１”に設定されていないことにより、このステップＳ９で否定的に判断された場合は、ステップＳ１０へ進み、制御用フラグＦが“２”に設定されているか否かが判断される。その時点の制御用フラグＦが“２”に設定されていないことにより、このステップＳ１０で否定的に判断された場合は、このルーチンを一旦終了する。
【００４７】
これに対して、その時点の制御用フラグＦが“２”に設定されていることにより、ステップＳ１０で肯定的に判断された場合には、ステップＳ１１へ進み、必要潤滑油量確保制御、すなわち上記のような第１モーター・ジェネレータ５の回転制御を中止する、もしくは終了させる指令が出力される。
【００４８】
必要潤滑油量確保制御を中止（終了）する指令が出力されると、エンジン１の回転が完全に停止したか否か、すなわちエンジン１の回転数がゼロになったか否かが判断される（ステップＳ１２）。エンジン１の回転数が未だゼロになっていないことにより、このステップＳ１２で否定的に判断された場合は、このルーチンを一旦終了する。
【００４９】
これに対して、エンジン１の回転数がゼロになったこと、すなわち、必要潤滑油量確保制御の中止（終了）が完了したこと、言い換えると、必要潤滑油量確保制御が実質的に終了したことにより、ステップＳ１２で肯定的に判断された場合には、ステップＳ１３へ進み、制御用フラグＦが“１”に設定された後、このルーチンを一旦終了する。
【００５０】
そして、必要潤滑油量確保制御が実質的に終了すると、上記のように制御用フラグＦは“１”に設定されているため、前述のステップＳ９で、肯定的に判断されるようになる。すなわち、ステップＳ９で、その時点の制御用フラグＦが“１”に設定されていることにより肯定的に判断された場合には、ステップＳ１４へ進み、電子スロットルバルブ１ａのスロットル開度すなわち目標スロットル開度θ’が、全閉の状態、もしくはエンジン１のアイドリング運転時に設定される所定量だけ開いた状態に設定される。すなわち、前述のステップＳ４での指令により実行されるポンピングロス低減制御を中止（終了）する指令が出力される。
【００５１】
なお、前述したように、エンジン１が可変動弁機構（もしくは可変動弁システム）を採用したエンジンである場合には、上記のように電子スロットルバルブ１ａのスロットル開度θを、全閉もしくはエンジン１のアイドリング運転時に設定される所定量だけ開いた状態にする制御の代わりに、吸気バルブの開き量を、全閉もしくはエンジン１のアイドリング運転時に設定される所定量だけ開いた状態にすることにより、ポンピングロス低減制御を実行することもできる。
【００５２】
スロットル開度θを全閉もしくはアイドリング運転時に設定される所定量だけ開いた状態にする指令、すなわちポンピングロス低減制御の中止（終了）指令が出力されると、実際のスロットル開度θが、全閉もしくはアイドリング運転時に設定される所定量だけ開いた状態になったか否かが判断される（ステップＳ１５）。実際のスロットル開度θが未だ全閉もしくはアイドリング運転時に設定される所定量だけ開いた状態になっていないことにより、このステップＳ１５で否定的に判断された場合は、このルーチンを一旦終了する。
【００５３】
これに対して、実際のスロットル開度θが全閉もしくはアイドリング運転時に設定される所定量だけ開いた状態、すなわちポンピングロス低減制御の中止（終了）が完了した状態、言い換えると、ポンピングロス低減制御が実質的に終了した状態になったことにより、ステップＳ１５で肯定的に判断された場合には、ステップＳ１６へ進み、制御用フラグＦが“０”に設定された後、このルーチンを一旦終了する。
【００５４】
このように、上記のステップＳ９以降の制御は、モータ走行時に、車速Ｖが所定車速Ｖ0以下となり、動力分配装置８などの被潤滑部位へオイルポンプ３７によりオイルを供給する必要がなくなった場合に、ポンピングロス低減制御と必要潤滑油量確保制御とを終了させる際の制御であって、それらポンピングロス低減制御と必要潤滑油量確保制御との終了制御が逐次実行されるようになっている。
【００５５】
すなわち、モータ走行モードで、車速Ｖが所定車速Ｖ0以下となり、ポンピングロス低減制御と必要潤滑油量確保制御とを終了させる場合、先ず初めに、必要潤滑油量確保制御が終了させられて、エンジン１の回転が停止させられる。すなわちエンジン１の回転数Ｎeがゼロにされる。そして、エンジン１の回転が実質的に停止した後、すなわちエンジン１の回転数Ｎeが実質的にゼロになった後に、ポンピングロス低減制御が終了させられる。すなわち電子スロットルバルブ１ａのスロットル開度が、全閉もしくはエンジン１のアイドリング運転時に設定される所定量だけ開いた状態にされる。
【００５６】
また一方、前述のステップＳ１で、車両Ｖｅの走行モードとしてモータ走行モードが要求されていないことにより否定的に判断された場合には、ステップＳ１７へ進み、制御用フラグＦが“１”に設定されているか否かが判断される。前述のように、制御の開始当初に車両ＶｅのイグニションスイッチがＯＦＦの状態からＯＮの状態にされると、制御用フラグＦは“０”に設定され、また、ポンピングロス低減制御と必要潤滑油量確保制御とが逐次実行されると、制御用フラグＦは“２”に設定されている。そのため、このステップＳ１７では、当初は否定的に判断される。
【００５７】
すなわち、このステップＳ１７で、その時点の制御用フラグＦが“１”に設定されていないことにより否定的に判断された場合は、ステップＳ１８へ進み、制御用フラグＦが“２”に設定されているか否かが判断される。その時点の制御用フラグＦが“２”に設定されていることにより、このステップＳ１８で肯定的に判断された場合は、ステップＳ１９へ進み、必要潤滑油量確保制御、すなわち前述したような第１モーター・ジェネレータ５の回転制御の中止（終了）指令が出力される。
【００５８】
必要潤滑油量確保制御を中止（終了）指令が出力されると、エンジン１の回転が完全に停止したか否か、すなわちエンジン１の回転数がゼロになったか否かが判断される（ステップＳ２０）。エンジン１の回転数が未だゼロになっていないことにより、このステップＳ２０で否定的に判断された場合は、このルーチンを一旦終了する。
【００５９】
これに対して、エンジン１の回転数がゼロになったこと、すなわち、必要潤滑油量確保制御の中止（終了）が完了したこと、言い換えると、必要潤滑油量確保制御が実質的に終了したことにより、ステップＳ２０で肯定的に判断された場合には、ステップＳ２１へ進み、制御用フラグＦが“１”に設定された後、このルーチンを一旦終了する。
【００６０】
一方、上記のステップＳ１８で、その時点の制御用フラグＦが“２”に設定されていないことにより否定的に判断された場合には、ステップＳ２２へ進み、エンジン１が始動させられ、エンジン１の出力するトルクにより、もしくはエンジン１の出力するトルクと第２モータ・ジェネレータ６の出力するトルクとにより車両Ｖｅを走行させる、いわゆるエンジン走行モードにおける制御が実行される（ステップＳ２３）。そしてその後、このルーチンを一旦終了する。
【００６１】
そして、その時点の制御用フラグＦが“１”に設定されていること、すなわち必要潤滑油量確保制御が実質的に終了していることにより、前述のステップＳ１７で肯定的に判断された場合には、ステップＳ２４へ進み、電子スロットルバルブ１ａのスロットル開度すなわち目標スロットル開度θ’が、全閉の状態、もしくはエンジン１のアイドリング運転時に設定される所定量だけ開いた状態に設定される。すなわち、ポンピングロス低減制御を中止（終了）するための指令が出力される。
【００６２】
ポンピングロス低減制御の中止（終了）指令が出力されると、実際のスロットル開度θが、全閉もしくはアイドリング運転時に設定される所定量だけ開いた状態になったか否かが判断される（ステップＳ２５）。実際のスロットル開度θが未だ全閉もしくはアイドリング運転時に設定される所定量だけ開いた状態になっていないことにより、このステップＳ２５で否定的に判断された場合は、このルーチンを一旦終了する。
【００６３】
これに対して、実際のスロットル開度θが全閉もしくはアイドリング運転時に設定される所定量だけ開いた状態、すなわちポンピングロス低減制御の中止（終了）が完了した状態、言い換えると、ポンピングロス低減制御が実質的に終了した状態になったことにより、ステップＳ２５で肯定的に判断された場合には、ステップＳ２６へ進み、制御用フラグＦが“０”に設定された後、このルーチンを一旦終了する。
【００６４】
このように、上記のステップＳ１８以降の制御は、モータ走行モードから、エンジン１単独、もしくはエンジン１と第２モータ・ジェネレータ６とが出力するトルクにより車両Ｖｅを走行させるエンジン走行モードへ切り換える場合に、ポンピングロス低減制御および必要潤滑油量確保制御を終了させる制御とエンジン１を始動させる制御とが、すなわち、ポンピングロス低減制御の終了制御と必要潤滑油量確保制御の終了制御とエンジン１のエンジン始動制御とが逐次実行されるようになっている。
【００６５】
具体的には、モータ走行モードで、ポンピングロス低減制御と必要潤滑油量確保制御とが実行されている状態からエンジン走行モードへ切り換える場合、先ず初めに、必要潤滑油量確保制御が終了させられて、エンジン１の回転が停止させられる。すなわちエンジン１の回転数Ｎeがゼロにされる。そして、エンジン１の回転が実質的に停止した後、すなわちエンジン１の回転数Ｎeが実質的にゼロになった後に、ポンピングロス低減制御が終了させられる。すなわち電子スロットルバルブ１ａのスロットル開度が、全閉もしくはエンジン１のアイドリング運転時に設定される所定量だけ開いた状態にされる。そしてその後に、エンジン１のエンジン始動制御が実行される。
【００６６】
電子スロットルバルブ１ａのスロットル開度が所定開度以上開いた状態、あるいは第１モータ・ジェネレータ５によりエンジン１が所定回転数以上で回転している状態で、エンジン１が始動させられて点火されると、通常のエンジン１の始動時の状態、すなわち電子スロットルバルブ１ａのスロットル開度が所定開度より閉じた状態で、かつエンジン１の回転数が所定回転数未満の状態でのエンジン１の始動時と比較して、点火によるエンジン１の初爆時にショックが発生する場合がある。そこで、上記のようにポンピングロス低減制御の終了制御と必要潤滑油量確保制御の終了制御とエンジン１のエンジン始動制御とが逐次実行されることによって、エンジン１の始動（初爆）時のショックを防止し、モータ走行モードからエンジン走行モードへの切り換えをスムーズに行うことができる。
【００６７】
ここで上述した具体例とこの発明との関係を簡単に説明すると、前述したステップＳ４ないしＳ８，Ｓ１４ないしＳ１６，Ｓ１７，Ｓ２４ないしＳ２６の機能的手段が、この発明のポンピングロス低減手段に相当し、また、ステップＳ７，Ｓ１０ないしＳ１３，Ｓ１８ないしＳ２１の機能的手段が、この発明の必要潤滑油量確保手段に相当し、そして、ステップＳ１８ないしＳ２６の機能的手段が、この発明の内燃機関始動手段に相当する。
【００６８】
以上のように、この発明におけるハイブリッド車の制御装置によれば、モータ走行が行われる場合に、エンジン１のスロットル開度が制御されて、エンジン１のポンピングロスが低減される。そして、第１モータ・ジェネレータ５がモータとして駆動されて、その第１モータ・ジェネレータ５の出力トルクが、動力分配装置８の遊星歯車機構を介して、エンジン１およびオイルポンプ３７に伝達され、それによりオイルポンプ３７が駆動されて動力分配装置８などの被潤滑部位へオイルが供給される。その際に動力分配装置８などの被潤滑部位へ供給されるオイル量が、車速に応じて変化する動力分配装置８などの被潤滑部位での潤滑および冷却のために必要な最小量となるように、第１モータ・ジェネレータ５の回転が制御される。
【００６９】
そのため、モータ走行時にエンジン１の運転が停止している場合であっても、オイルポンプ３７により、車速に応じた適切な量のオイルを動力分配装置８などの被潤滑部位へ過不足なく供給することができ、動力分配装置８などの被潤滑部位へ必要以上にオイルが供給されてしまうことによるオイルポンプ３７の損失を低減することができる。
【００７０】
したがって、モータ走行時に、エンジン１のポンピングロスおよびオイルポンプ３７の損失を低減して、モータ走行時における第１モータ・ジェネレータ５の消費電力を低減することができ、その結果、バッテリに充電された電力の電力消費量を低減し、モータ走行による走行時間、あるいは走行距離を延長することができる。特に、外部の電力によりバッテリを充電するいわゆるプラグインシステムを採用したハイブリッド車にこの発明における制御装置を適用することによって、１回の充電により走行可能な距離あるいは時間を延長することができ、モータ走行の頻度が高くなるプラグインシステムを採用したハイブリッド車においても、好適に対応することが可能である。
【００７１】
また、モータ走行時に、先ず、ポンピングロス低減制御が実行された後、すなわちエンジン１のポンピングロスを低減するために、エンジン１のスロットル開度が所定量以上開かれた後に、必要潤滑油量確保制御、すなわちオイルポンプ３７の吐出量を制御するための第１モータ・ジェネレータ５の回転制御が実行される。そして、それらポンピングロス低減制御と必要潤滑油量確保制御とが終了される場合には、先ず、必要潤滑油量確保制御が中止されてエンジン１の回転が停止した後に、ポンピングロス低減制御が中止されてエンジン１のスロットル開度が全閉の状態もしくはアイドリング運転時に設定される所定量だけ開いた状態に制御される。
【００７２】
そのため、モータ走行時における必要潤滑油量確保制御中、すなわち第１モータ・ジェネレータ５の回転制御中に、エンジン１のスロットル開度が制御されてエンジン１のポンピングロスが変化することにより生じる出力軸でのトルク変動を回避し、そのトルク変動により、ショックの発生や乗員へ違和感を与えてしまうことを回避することができる。
【００７３】
そして、モータ走行の状態からエンジン走行の状態に切り換える場合には、先ず、必要潤滑油量確保制御が中止されてエンジン１の回転が停止した後に、ポンピングロス低減制御が中止されてエンジン１のスロットル開度が、全閉の状態もしくはアイドリング運転時に設定される所定量だけ開いた状態に制御される。そしてその後に、エンジン１の始動が開始される。そのため、エンジン１を始動する際に、スロットル開度が所定量以上開いた状態、あるいは第１モータ・ジェネレータ５によりエンジン１が所定回転数以上で回転している状態でエンジン１が点火されることにより発生する初爆時のショックを防止することができる。その結果、モータ走行モードからエンジン走行モードへの切り換えをスムーズに行うことができる。
【図面の簡単な説明】
【００７４】
【図１】この発明の制御装置による制御例を説明するためのフローチャートである。
【図２】図１のフローチャートで示す制御を行う際に用いられるマップの一例を示す図である。
【図３】図１のフローチャートで示す制御を行う際に用いられるマップの一例を示す図である。
【図４】この発明の制御装置による制御を実行した際の動力分配装置の遊星歯車機構における運転状態を示す共線図である。
【図５】この発明で対象とするハイブリッド車の駆動系統の一例を模式的に示すスケルトン図である。
【図６】この発明で対象とするハイブリッド車の制御系統の一例を模式的に示すブロック図である。
【図７】従来のハイブリッド車の制御装置による制御を実行した際の動力分配装置の遊星歯車機構における運転状態を示す共線図である。
【符号の説明】
【００７５】
１…エンジン（内燃機関）、  １ａ…電子スロットルバルブ、  ５…第１モータ・ジェネレータ（電動機）、  ６…第２モータ・ジェネレータ（電動機）、  ８…動力分配装置、  １２…サンギヤ（第２回転要素）、  １３…リングギヤ（第３回転要素）、  １５…キャリヤ（第１回転要素）、  ３７…オイルポンプ、  ３８…電子制御装置（ＥＣＵ）。
【図１】
2008308138.tif 000003
【図２】
2008308138.tif 000004
【図３】
2008308138.tif 000005
【図４】
2008308138.tif 000006
【図５】
2008308138.tif 000007
【図６】
2008308138.tif 000008
【図７】
2008308138.tif 000009